(57)【要約】【課題】複雑な制御装置を用いることなく、多量換気が必要な室に対してのみ局所的、局時的に多量換気を可能にし、以て、全体的に過少換気及び過剰換気のない、各室の環境に即したバランスのとれた効率のよい換気を可能にし、また、換気経路の乱れによる排気ファンの性能低下のおそれのない換気システムを、比較的低コストにて提供することを課題とする。【解決手段】各室ａ〜ｆから延びるダクトホース３ａ〜３ｆをそれぞれ排気ファン１に直結された分岐チャンバー２に接続して成る換気システムであって、多量換気を必要とする室の換気を補助排気ファン４で補助可能にした。前記補助排気ファン４は、前記ダクトホースの１又は複数に設置し、あるいは、前記ダクトホースを分岐させ、その一方の分岐ダクトホースに設置することができる。【選択図】図１
2005172355.tif 000002
【特許請求の範囲】
【請求項１】
各室から延びるダクトホースをそれぞれ排気ファンに直結された分岐チャンバーに接続して成る換気システムであって、多量換気を必要とする室の換気を補助排気ファンで補助可能にしたことを特徴とする換気システム。
【請求項２】
前記ダクトホースの１又は複数に前記補助排気ファンを設置した請求項１に記載の換気システム。
【請求項３】
前記ダクトホースを分岐させ、その一方の分岐ダクトホースに前記補助排気ファンを設置した請求項１又は２に記載の換気システム。
【請求項４】
前記排気ファンと前記分岐チャンバーとの間にＹ字管を配設し、前記Ｙ字管の一方の分岐口から延ばしたダクトホースに前記補助排気ファンを設置した請求項１に記載の換気システム。
【請求項５】
前記排気ファンから室外へ延びる排気路にＹ字管を設け、前記Ｙ字管の一方の分岐口から延ばしたダクトホースに前記補助排気ファンを設置した請求項１に記載の換気システム。
【発明の詳細な説明】
【技術分野】
【０００１】
本発明は、換気システム、より詳細には、一般住宅、特に高断熱・高気密住宅等において、住宅全体に亘り、常時、機械換気を行なう換気システムに関するものである。
【背景技術】
【０００２】
近年、新築・改築後の住宅やビルにおいて、建築材料・家具等から発散する化学物質による室内空気汚染等により、めまい、吐き気、頭痛、目・鼻・喉の痛み等、居住者の健康にさまざまな影響が生じている事例が数多く報告され、それは「シックハウス症候群」、「シックビルディング症候群」等と呼ばれている。
【０００３】
更に、住宅設備の進歩に伴い、風呂、洗濯場、トイレ等の住宅内への設置化が進められ、人体由来の水分に加え、室内に放出される水分（水蒸気）量は上昇する傾向にある。そして、これらの化学物質及び水分に加え、人体から発せられる炭酸ガスによる室内空気汚染が、近年特に問題視されてきている。
【０００４】
上記室内空気汚染は、常時、ある一定の割合で進むものであって、タバコの煙、トイレ臭気、入浴時の多量な水分（湿気）、室内に燃焼ガス（排気ガス）を排出する燃焼器具等に対処するために採用される、局時・局所的に多量の換気を行う手法（これを局所換気と呼ぶ）では解決することができない。
【０００５】
上記室内空気汚染に対処するためには、住宅全体を対象とし、２４時間、常時、ある一定量を換気し続けることが必要であり、また、住宅内に居住空間（居間・寝室など）から非居住空間（トイレ・脱衣場など）への空気の流れを作ることで、極力汚染空気を人体に影響させないことが必要である。
【０００６】
近年これらの技術は、局所換気と区別して「計画換気」、「換気システム」等と呼ばれ、種々のものが開発されてきている。特に、近年増えてきている高断熱・高気密住宅のような高性能住宅には、その技術を採用する例が増えてきている。
【０００７】
図５及び図６は、上記換気システムの構成例を示すもので、そのシステムは、各室ａ〜ｆに開口していてそこから延びるダクトホース３ａ〜３ｆを、天井裏に配備されて排気ファン１に直結される分岐チャンバー２に接続して成る。
【０００８】
分岐チャンバーの構成例としては、特許第３２７６３００号に記載のものを挙げることができる。それは、各室から延びるダクトホースを接続する複数の接続口と、排気ファンから延びるメインダクトを接続する１つの接続口とを有するチャンバーであって、前記各ダクトホース接続口が前記メインダクト接続口から等距離に配置されていることを特徴とするものである。
【０００９】
ところで、換気システムの問題点として、システムが想定しない量の換気、即ち、局所換気が必要な場合における換気量の確保、及び、空気経路の維持が難しいという点が指摘されている。
【００１０】
この場合、局所換気を必要とする部屋に個別に補助排気ファン１１を設置することが行われているが、そのようにした場合は、換気経路が乱される。即ち、補助排気ファン１１を設置していないか、そのスイッチをオフにした状態においては、室ｅ内の空気は図６に実線の矢印で示すように流れ、ダクトホース３ｅに吸入されるが、補助排気ファン１１の動作時には、図６に破線の矢印で示すように流れ、逆にダクトホース３ｅ内の空気が吸い出される（又は、排気量が減少する）現象が起こる。その結果、各ダクトホース内の空気の流れも乱れ、排気ファン１の性能低下を来たす。１２は給気ガラリを示している。
【特許文献１】特許第３２７６３００号公報
【発明の開示】
【発明が解決しようとする課題】
【００１１】
上述したように、従来の換気システムでは、局所換気が目的とする換気に対応することができず、局所換気必要時の換気量不足や換気経路の乱れなどの問題があった。また、局所換気を「計画換気」、「換気システム」に組み込んだ場合、ファンの能力のバランス等に起因する空気の流れに対する確たる理論がなく、同様に局所換気必要時の換気量不足や換気経路の乱れが予想されていた。
【００１２】
そこで本発明はそのような問題のない、即ち、複雑な制御装置を用いることなく、多量換気が必要な室に対してのみ局所的、局時的に多量換気を可能にし、以て、全体的に過少換気及び過剰換気のない、各室の環境に即したバランスのとれた効率のよい換気を可能にし、また、換気経路の乱れによる排気ファンの性能低下のおそれのない換気システムを、比較的低コストにて提供することを課題とする。
【課題を解決するための手段】
【００１３】
上記課題を解決するための本発明に係る換気システムは、各室から延びるダクトホースをそれぞれ排気ファンに直結された分岐チャンバーに接続して成る換気システムであって、多量換気を必要とする室の換気を補助排気ファンで補助可能にしたことを特徴とする。
【００１４】
前記補助排気ファンは、前記ダクトホースの１又は複数に設置し、あるいは、前記ダクトホースを分岐させ、その一方の分岐ダクトホースに設置することができる。
【００１５】
また、前記補助排気ファンは、前記排気ファンと前記分岐チャンバーとの間にＹ字管を配設し、その一方の分岐口から延ばしたダクトホースに設置し、あるいは、前記排気ファンから室外へ延びる排気路にＹ字管を設け、前記Ｙ字管の一方の分岐口から延ばしたダクトホースに設置することができる。
【発明の効果】
【００１６】
本発明においては、多量換気を必要とする室の換気を補助排気ファンで補助可能にしているため、多量換気が必要な室における換気量が不十分となったり、多量換気が必要のない室における換気が過剰となって室内環境が乱されるといった不都合がなく、各室の環境に即したバランスのとれた効率のよい連続換気が可能となる。また、換気経路を乱して排気ファンの性能を低下させるおそれがなく、いずれの実施形態においても、全体換気量の増大を図ることが可能となるという効果がある。
【発明を実施するための最良の形態】
【００１７】
本発明は、各室から延びるダクトホースをそれぞれ排気ファン１に直結された分岐チャンバー２に接続して成る換気システムであって、多量換気が必要な室の換気を補助排気ファン４で補助可能にしたことを特徴とする。以下、本発明の好ましい実施形態を、添付図面に依拠して説明する。
【００１８】
図１に示す第１の実施形態は、補助排気ファン４をダクトホースの１又は複数（図では１）に設置するものである。図示した例では、分岐チャンバー２には、６つの室ａ〜ｆから延びるダクトホース３ａ〜３ｆが接続されている。そして、室ａ〜ｆの内、多量換気を必要とする室ａから延びるダクトホース３ａに補助排気ファン４が設置される。
【００１９】
補助排気ファン４はダクトホース３ａ〜３ｆの中途に設置してもよいが、通常はその先端、即ち、室内開口部に設置される。以下の各実施形態においても同様である。補助排気ファン４としては、通例、小型のシロッコファンが用いられる。なお、補助排気ファン４を設置しないダクトホース先端の室内開口部には、吸気口が取り付けられる。
【００２０】
図２に示す第２の実施形態は、室ｃに向かうダクトホース３ｃをＹ字管５を介して途中で分岐させ、室ｇに向かうその分岐ダクトホース３ｇの先端に補助排気ファン４を設置したものである。
【００２１】
図３に示す第３の実施形態は、排気ファン１と分岐チャンバー２との間にＹ字管６を配し、Ｙ字管６の一方の分岐口から出る配管７を分岐チャンバー２に接続し、他方の分岐口から室ｇに延びるダクトホース３ｇの先端に補助排気ファン４を設置したものである。
【００２２】
図４に示す第４の実施形態は、排気ファン１から室外へ延びる排気路８にＹ字管９を配備し、Ｙ字管９の一方の分岐口から出て室ｇに延びるダクトホース３ｇの先端に補助排気ファン４を設置したものである。
【００２３】
上記図１〜４におけるカッコ内の数値は、（Ａ）においては補助排気ファン４を停止した状態における各吸気口の吸気量（ｍ３／ｈ）及び排気フード部分の排気量（ｍ３／ｈ）を示しており、（Ｂ）においては補助排気ファン４を運転した状態における各吸気口の吸気量（ｍ３／ｈ）及び排気フード部分の排気量（ｍ３／ｈ）を示している。また、カッコ内の数値の前段は排気ファンの最小運転時の吸気・排気量を示し、後者は最大運転時の吸気・排気量を示している。
【００２４】
また、図５におけるカッコ内の数値は、従来の補助換気ファン４のないシステムにおける各吸気口の吸気量（ｍ３／ｈ）及び排気フード部分の排気量（ｍ３／ｈ）を示している。なお、各図における各ダクトホースの長さの違いは、排気ファン１から吸気口までの距離の違いを示している。
【００２５】
この図中の数値からも明らかなように、本発明によれば、排気ファン１の能力を変えることなく、且つ、各室の室内環境に即した換気量のバランスを維持したまま、多量換気が必要な室、換言すれば、補助排気ファン４の設置対象である室の換気量を大幅に増加させることが可能となる。風量のレベルは、運転条件を変えることにより容易に調整可能である。
【００２６】
また、本発明に係るシステムは、従来のシステムに若干の変更を加えるだけで成立するので、コスト的に負担となることはなく、また、既設のシステムをそのまま利用することも可能である。
【図面の簡単な説明】
【００２７】
【図１】本発明の第１の実施形態の構成図である。
【図２】本発明の第２の実施形態の構成図である。
【図３】本発明の第３の実施形態の構成図である。
【図４】本発明の第４の実施形態の構成図である。
【図５】従来の換気システムの構成図である。
【図６】従来の換気システムの問題点を示す図である。
【符号の説明】
【００２８】
１    排気ファン
２    分岐チャンバー
３ａ  ダクトホース
３ｂ  ダクトホース
３ｃ  ダクトホース
３ｄ  ダクトホース
３ｅ  ダクトホース
３ｆ  ダクトホース
３ｇ  ダクトホース
４    補助排気ファン
５    Ｙ字管
６    Ｙ字管
７    配管
８    排気路
９    Ｙ字管
【図１】
2005172355.tif 000003
【図２】
2005172355.tif 000004
【図３】
2005172355.tif 000005
【図４】
2005172355.tif 000006
【図５】
2005172355.tif 000007
【図６】
2005172355.tif 000008
【手続補正書】
【提出日】平成15年12月15日(2003.12.15)
【手続補正１】
【補正対象書類名】特許請求の範囲
【補正対象項目名】全文
【補正方法】変更
【補正の内容】
【特許請求の範囲】
【請求項１】
各室から延びるダクトホースをそれぞれ排気ファンに直結された分岐チャンバーに接続して成る換気システムであって、多量換気を必要とする室の換気を補助排気ファンで補助可能にしたことを特徴とする換気システム。
【請求項２】
前記ダクトホースの１又は複数に前記補助排気ファンを設置した請求項１に記載の換気システム。
【請求項３】
前記ダクトホースを分岐させ、その一方の分岐ダクトホースに前記補助排気ファンを設置した請求項１又は２に記載の換気システム。
【請求項４】
前記排気ファンと前記分岐チャンバーとの間に分岐管を配設し、前記分岐管の一方の分岐口から延ばしたダクトホースに前記補助排気ファンを設置した請求項１に記載の換気システム。
【請求項５】
前記排気ファンから室外へ延びる排気路に分岐管を設け、前記分岐管の一方の分岐口から延ばしたダクトホースに前記補助排気ファンを設置した請求項１に記載の換気システム。
【手続補正２】
【補正対象書類名】明細書
【補正対象項目名】００１５
【補正方法】変更
【補正の内容】
【００１５】
また、前記補助排気ファンは、前記排気ファンと前記分岐チャンバーとの間に分岐管を配設し、その一方の分岐口から延ばしたダクトホースに設置し、あるいは、前記排気ファンから室外へ延びる排気路に分岐管を設け、前記分岐管の一方の分岐口から延ばしたダクトホースに設置することができる。
【手続補正３】
【補正対象書類名】明細書
【補正対象項目名】００２０
【補正方法】変更
【補正の内容】
【００２０】
図２に示す第２の実施形態は、室ｃに向かうダクトホース３ｃを分岐管５を介して途中で分岐させ、室ｇに向かうその分岐ダクトホース３ｇの先端に補助排気ファン４を設置したものである。
【手続補正４】
【補正対象書類名】明細書
【補正対象項目名】００２１
【補正方法】変更
【補正の内容】
【００２１】
図３に示す第３の実施形態は、排気ファン１と分岐チャンバー２との間に分岐管６を配し、分岐管６の一方の分岐口から出る配管７を分岐チャンバー２に接続し、他方の分岐口から室ｇに延びるダクトホース３ｇの先端に補助排気ファン４を設置したものである。
【手続補正５】
【補正対象書類名】明細書
【補正対象項目名】００２２
【補正方法】変更
【補正の内容】
【００２２】
図４に示す第４の実施形態は、排気ファン１から室外へ延びる排気路８に分岐管９を配備し、分岐管９の一方の分岐口から出て室ｇに延びるダクトホース３ｇの先端に補助排気ファン４を設置したものである。
【手続補正６】
【補正対象書類名】明細書
【補正対象項目名】００２８
【補正方法】変更
【補正の内容】
【００２８】
１    排気ファン
２    分岐チャンバー
３ａ  ダクトホース
３ｂ  ダクトホース
３ｃ  ダクトホース
３ｄ  ダクトホース
３ｅ  ダクトホース
３ｆ  ダクトホース
３ｇ  ダクトホース
４    補助排気ファン
５    分岐管
６    分岐管
７    配管
８    排気路
９    分岐管